(57)【要約】      （修正有）【課題】複数の異なるキャリアを利用した無線通信が可能な無線通信端末において、消費電力を低減する。【解決手段】無線通信端末は、複数の異なるキャリアのそれぞれを利用した、複数の無線通信手段を備え、複数の無線通信手段を同時に使用する第１の通信モードと、通信可能な無線通信手段のうち、いずれか１つの無線通信手段のみを使用する第２の通信モードとを有する。そして、起動時や位置、時刻等の使用条件に応じて第１の通信モードと第２の通信モードとを切り替える。【選択図】図１
2011124953.tif 000002
【特許請求の範囲】
【請求項１】
複数の異なるキャリアのそれぞれを利用した、複数の無線通信手段を備える無線通信端末であって、
前記複数の無線通信手段のそれぞれを、動作させるか又は停止させるかを制御する制御手段と、
前記複数の無線通信手段を同時に動作させる第１の通信モードと、前記複数の無線通信手段のうち、いずれか１つの無線通信手段のみを動作させる第２の通信モードとの、２つの通信モードを使用条件に応じて切り替えるモード切替手段とを備えることを特徴とする無線通信端末。
【請求項２】
起動時に利用可能な前記無線通信手段を判定する第１の判定手段をさらに備え、
前記モード切替手段は、前記第１の判定手段が、起動時に利用可能な前記無線通信手段が複数であると判定した場合は前記第１の通信モードに切り替え、起動時に利用可能な前記無線通信手段が１つであると判定した場合は前記第２の通信モードに切り替えることを特徴とする請求項１に記載の無線通信端末。
【請求項３】
前記２つの通信モードのいずれかを選択する選択手段をさらに備え、
前記モード切替手段は、前記判定手段が起動時に利用可能な前記無線通信手段が複数であると判定した場合に、前記選択手段で選択された前記通信モードに切り替えることを特徴とする請求項２に記載の無線通信端末。
【請求項４】
自身の位置を検出する位置検出手段をさらに備え、
前記モード切替手段は、前記位置検出手段で検出された位置が、予め定められた位置の範囲に含まれる場合に、前記予め定められた位置の範囲に対応付けられた前記通信モードに切り替えることを特徴とする請求項１乃至３のいずれか１項に記載の無線通信端末。
【請求項５】
現在時刻の情報を取得する時刻取得手段をさらに備え、
前記モード切替手段は、前記現在時刻が、予め定められた時刻の範囲に含まれる場合に、前記予め定められた時刻の範囲に対応付けられた前記通信モードに切り替えることを特徴とする請求項１乃至４のいずれか１項に記載の無線通信端末。
【請求項６】
前記第１の通信モードである際に、利用可能な前記無線通信手段を判定する第２の判定手段をさらに備え、
前記モード切替手段は、前記第１の通信モードから前記第２の通信モードに切り替える際に、前記複数の無線通信手段のうち、前記第２の判定手段が利用可能であると判定した、１つの無線通信手段に切り替えることを特徴とする請求項１乃至５のいずれか１項に記載の無線通信端末。
【請求項７】
前記モード切替手段は、前記第１の通信モードから前記第２の通信モードに切り替える際に、前記複数の無線通信手段のうち、通信状況が最も良好な前記無線通信手段に切り替えることを特徴とする請求項１乃至６のいずれか１項に記載の無線通信端末。
【請求項８】
前記複数の無線通信手段のうち、前記第１の通信モードから前記第２の通信モードに切り替える際に、動作させる無線通信手段を設定する設定手段をさらに備え、
前記モード切替手段は、前記第１の通信モードから前記第２の通信モードに切り替える際に、前記設定手段で設定された無線通信手段に切り替えることを特徴とする請求項１乃至５のいずれか１項に記載の無線通信端末。
【請求項９】
複数の異なるキャリアのそれぞれを利用した、複数の無線通信手段を備える無線通信端末であって、
前記複数の無線通信手段のそれぞれを、動作させるか又は停止させるかを制御する制御手段と、
前記複数の無線通信手段を同時に動作させる第１の通信モードと、前記複数の無線通信手段のうち、いずれか１つの無線通信手段のみを動作させる第２の通信モードの、２つの通信モードを切り替えるモード切替手段とを備え、
前記モード切替手段は、前記第１の通信モードである場合、１つの無線通信手段でデータの送受信を開始する際に、前記第２の通信モードに切り替えることを特徴とする無線通信端末。
【請求項１０】
前記モード切替手段は、前記データの送受信が完了した際に、前記第２の通信モードから前記第１の通信モードに切り替えることを特徴とする請求項９に記載の無線通信端末。
【請求項１１】
前記第２の通信モードから前記第１の通信モードに切り替える際に、前記複数の無線通信手段のそれぞれについて留守番電話の有無を問い合わせる留守問合手段をさらに備えることを特徴とする請求項１乃至１０のいずれか１項に記載の無線通信端末。
【請求項１２】
前記第２の通信モードから前記第１の通信モードに切り替える際に、前記複数の無線通信手段のそれぞれについてメールの有無を問い合わせるメール問合手段をさらに備えることを特徴とする請求項１乃至１１のいずれか１項に記載の無線通信端末。
【請求項１３】
複数の異なるキャリアのそれぞれを利用した、複数の無線通信手段を備える無線通信端末の制御方法であって、
前記複数の無線通信手段のそれぞれを、動作させるか又は停止させるかを制御する制御工程と、
前記複数の無線通信手段を同時に動作させる第１の通信モードと、前記複数の無線通信手のうち、いずれか１つの無線通信手段のみを動作させる第２の通信モードとの、２つの通信モードを使用条件に応じて切り替えるモード切替工程とを備えることを特徴とする無線通信端末の制御方法。
【請求項１４】
複数の異なるキャリアのそれぞれを利用した、複数の無線通信手段を備える無線通信端末の制御方法であって、
前記複数の無線通信手段のそれぞれを、動作させるか又は停止させるかを制御する制御工程と、
前記複数の無線通信手段を同時に動作させる第１の通信モードと、前記複数の無線通信手段のうち、いずれか１つの無線通信手段のみを動作させる第２の通信モードの、２つの通信モードを切り替えるモード切替工程とを備え、
前記モード切替工程において、前記第１の通信モードである場合、１つの無線通信手段でデータの送受信を開始する際に、前記第２の通信モードに切り替えることを特徴とする無線通信端末の制御方法。
【発明の詳細な説明】
【技術分野】
【０００１】
本発明は、無線通信端末における複数の異なるキャリアを同時に利用した無線通信技術に関する。
【背景技術】
【０００２】
現在、携帯電話等の無線通信端末は、固有のＩＤ情報を有するＩＣチップ等を装着することにより、個別の無線通信を行うことが可能である。
【０００３】
ＩＭＴ−２０００形式の無線通信端末では、ＳＩＭ（Ｓｕｂｓｃｒｉｂｅｒ  Ｉｄｅｎｔｉｆｉｃａｔｉｏｎ  Ｍｏｄｕｌｅ）カードと呼ばれるＩＣカードが、各通信サービスを提供するキャリアから配布される。ＳＩＭカードは、１つの回線契約ごとに１つ配布され、電話（加入者）番号やキャリア（契約した会社及びその通信方式）などの加入者情報が格納される。このようなＳＩＭカードを無線通信端末に装着することにより、加入者情報をＳＩＭカードから読み出して、無線通信を利用した、ユーザそれぞれの音声や文字列のデータの送受信が可能となる。
【０００４】
一般的には１つの無線通信端末は１つのキャリアを利用した通信が可能であるが、特許文献１のように、２つのＳＩＭカードを装着し、２種類のキャリアを利用したデータの送受信が可能な技術も知られている。
【先行技術文献】
【特許文献】
【０００５】
【特許文献１】特開２００３−１８９３６１号公報
【発明の概要】
【発明が解決しようとする課題】
【０００６】
特許文献１のような無線通信端末は、１つのキャリアを利用した通信を行う無線通信端末に比べ、多くの電力を消費する。しかしながら、消費電力を低減するために、通信を行うキャリアの数を、使用条件に合わせて動的に変更する方法は知られていなかった。
本発明は、上述の問題点に鑑みてなされたものであり、複数の異なるキャリアを利用した無線通信が可能な無線通信端末において、消費電力を低減することを目的とする。
【課題を解決するための手段】
【０００７】
前述の目的を達成するために、本発明の無線端末装置は、以下の構成を備える。
複数の異なるキャリアのそれぞれを利用した、複数の無線通信手段を備える無線通信端末であって、複数の無線通信手段のそれぞれを、動作させるか又は停止させるかを制御する制御手段と、複数の無線通信手段を同時に動作させる第１の通信モードと、複数の無線通信手段のうち、いずれか１つの無線通信手段のみを動作させる第２の通信モードの、２つの通信モードを使用条件に応じて切り替えるモード切替手段とを備えることを特徴とする。
【発明の効果】
【０００８】
このような構成により本発明によれば、複数の異なるキャリアを利用した無線通信が可能な無線通信端末において、消費電力を低減することを可能とする。
【図面の簡単な説明】
【０００９】
【図１】実施形態に係る携帯電話の概観を示した図。
【図２】実施形態の携帯電話の機能構成を示したブロック図。
【図３】ＳＩＭカードに格納されるデータを示した図。
【図４】実施形態１の起動時ＳＩＭカード認証処理のフローチャート。
【図５】実施形態１の起動時キャリア選択処理のフローチャート。
【図６】実施形態１のＧＵＩ例を示した図。
【図７】実施形態２のエリア切り替え処理のフローチャート。
【図８】実施形態２の時刻切り替え処理のフローチャート。
【図９】実施形態２のＧＵＩ例を示した図。
【図１０】実施形態３の着信時切り替え処理のフローチャート。
【図１１】実施形態３のＧＵＩ例を示した図。
【図１２】実施形態に係る単一キャリアモード移行処理のフローチャート。
【発明を実施するための形態】
【００１０】
（実施形態１）
以下、本発明の好適な一実施形態について、図面を参照して詳細に説明する。なお、以下に説明する一実施形態は、無線通信端末の一例としての、２種類のキャリアを利用して同時に無線通信可能な携帯電話に、本発明を適用した例を説明する。しかし、本発明は、複数のキャリアを同時に利用して無線通信することが可能な任意の機器に適用可能である。なお、本実施形態において「複数キャリアモード（第１の通信モード）」とは、利用可能な複数のキャリアを同時に利用して無線通信を行う、携帯電話１００が備える通信モードである。また、「単一キャリアモード（第２の通信モード）」とは、利用可能な複数のキャリアのうち、１つのキャリアのみを利用して無線通信を行う、携帯電話１００が備える通信モードである。
【００１１】
図１は、本発明の実施形態に係る携帯電話１００の概観を示した図である。携帯電話１００は、複数の通信方式に対応した無線通信端末であり、例えばＷ−ＣＤＭＡ方式とＣＤＭＡ２０００方式の無線通信を行うことが可能である。携帯電話１００は、例えば音声通信機能、テレビ電話通信機能、メール送受信機能、ＷＥＢ閲覧機能等の様々なデータの通信機能を備え、上述した２つの通信方式の両方でデータ通信を行うことが可能である。なお、本実施形態では上述した２つの方式の無線通信を行うものとして説明するが、通信方式はこれに限らず、また同時に通信に利用可能なキャリアの数も２つ以上であればよい。
【００１２】
携帯電話１００は、２つの方式の無線通信を可能とするため、第１ＳＩＭスロット１０８及び第２ＳＩＭスロット１０９を備え、２種類のキャリアのＳＩＭカードが挿入されることにより、それぞれのキャリアを利用した無線通信を行うことが可能である。第１ＳＩＭカード２００及び第２ＳＩＭカード３００は、それぞれ第１ＳＩＭスロット１０８及び第２ＳＩＭスロット１０９に挿入されるカードであり、携帯電話１００が通信可能な方式のＳＩＭカードであればよい。ＳＩＭカードには、電話番号を特定するための固有のＩＤ番号や、電話帳情報、通信回線契約情報など、携帯電話を使用する際に必要な情報が保持されている。
【００１３】
このような携帯電話１００の機能構成のブロック図を図２に示す。
ＣＰＵ１０１は、例えばＲＯＭ１０４に記憶されている携帯電話１００の各ブロックの動作プログラムをＲＡＭ１０３に展開して実行することにより、携帯電話１００の各ブロックの動作を制御する。ＥＥＰＲＯＭ１０２は、書き換え可能な不揮発性メモリであり、例えば携帯電話１００の各ブロックの動作に用いる設定値等のパラメータや、受信データ等を保持する。ＲＡＭ１０３は、携帯電話１００が備えるワークスペースであり、一時的なデータを保持する揮発性メモリである。またＲＯＭ１０４は、書き換え不可能な不揮発性メモリであり、携帯電話１００の各ブロックの動作プログラムに加え、例えば携帯電話１００の各ブロックの動作のデフォルト設定値等を保持する。
【００１４】
入出力制御部１０５は、キー操作部１０６が有する携帯電話１００の例えば番号キーや移動キー等のボタンが、ユーザによって操作されたかを判断し、操作の内容をＣＰＵ１０１に伝える。また、入出力制御部１０５は、キー操作部１０６が有する各キーのボタンに設けられた、ＬＥＤ等のバックライトを調光制御する。外部メモリＩ／Ｆ１０７は、第１ＳＩＭスロット１０８及び第２ＳＩＭスロット１０９の入出力インタフェースであり、それぞれのスロットのカードの有無や、装着されたＳＩＭカードの情報を読み出すことが可能である。なお、本実施形態において、第１ＳＩＭスロット１０８には第１ＳＩＭカード２００が、第２ＳＩＭスロット１０９には第２ＳＩＭカード３００が挿入されるものとして説明する。また、本実施形態では、第１ＳＩＭスロット１０８、第２ＳＩＭスロット１０９に装着されたＳＩＭカードから加入者識別情報を読み取り、この加入者情報に基づいて通信処理を行う。
【００１５】
ここで、ＳＩＭカードに記憶されている情報について、図３を用いて説明する。
ＳＩＭカードには、ＩＣカードＩＤ２０１、国際移動体端末番号２０２、認証用キー値２０６、ＰＩＮ（Ｐｅｒｓｏｎａｌ  Ｉｄｅｎｔｉｆｙ  Ｎｕｍｂｅｒ）コード２０７、電話帳情報２１０、メール２１２、リザーブ２１３の情報が記憶される。ＩＣカードＩＤ２０１は、カードを識別するための情報であり、カード固有のユニークＩＤが記憶されている。国際移動体端末番号２０２は、契約したキャリアによって提供される加入者を特定するための情報であり、移動体通信用国番号２０３、移動体通信網識別番号２０４及び移動体端末識別番号２０５から構成される。移動体通信用国番号２０３は契約したキャリアの国、移動体通信網識別番号２０４は契約したキャリアの情報、移動体端末識別番号２０５は加入者に提供される電話番号の情報が判別可能である。認証用キー値２０６は、キャリアの提供する電話網へアクセスするために、携帯電話の認証を行うための情報である。ＰＩＮコード２０７は、第三者に無断使用されることを防ぐため、ＳＩＭカードが電話機に装着された際に加入者自身を特定するための暗証番号である。ＰＩＮコードは、第１ＰＩＮコード２０８及び第２ＰＩＮコード２０９の２種類を保持することが可能である。電話帳情報２１０は、ＰＩＮコード２０７の認証が完了することにより、無線通信可能となる発信先固定電話帳２１１が含まれる。メール２１２は、ユーザが任意に選択したメールデータを記憶しておくことが可能であり、記憶したメールデータはＳＩＭカードを挿入した携帯電話で参照することが可能である。
【００１６】
第１通信部１１０及び第２通信部１２０は、携帯電話１００が利用可能である２種類のキャリアのそれぞれに対応した、無線通信でのデータの送受信を行うブロックである。本実施形態では、第１通信部１１０はＷ−ＣＤＭＡ方式、第２通信部１２０はＣＤＭＡ２０００方式のキャリアを利用して通信可能であるものとして説明するが、本発明の実施はこれに限らない。第１通信部１１０及び第２通信部１２０は、それぞれアンテナ、アンテナ共用器、受信部、周波数シンセサイザ、ベースバンド処理部、送信部を有する。なお、本実施形態では第１通信部１１０が有する各ブロックの説明を行うが、第２通信部１２０が有する各ブロックも、通信可能なキャリアが異なるだけで、機能は同じであるため説明は省略する。
【００１７】
第１アンテナ共用器１１２は、第１アンテナ１１１が受信した、基地局から伝送された無線信号を取得し、第１受信部１１３に伝送する。また、第１アンテナ共用器１１２は、第１送信部１１６から入力された送信用の信号を、第１アンテナ１１１から基地局に伝送する。第１受信部１１３は、高周波増幅器、周波数変換器及び復調器を有するブロックであり、受信した無線信号を復調し、得られた復調信号を第１ベースバンド処理部１１５に伝送する。具体的には、第１受信部１１３は、受信した無線信号を低雑音増幅器で低雑音増幅した後、第１周波数シンセサイザ１１４より発生された受信局部発信信号と混合することにより、受信中間周波数信号、又は受信ベースバンド信号に周波数変換する。そして、第１受信部１１３は、周波数変換した無線信号を復調器で復調することにより、復調信号を得る。第１ベースバンド処理部１１５は、入力された復調信号を、音声信号と、例えば電子メール等の文字や画像のデータが含まれるデータ信号に分離し、後述するコーデック１３１に出力する。
【００１８】
また、第１ベースバンド処理部１１５は、コーデック１３１から入力された、符号化された音声信号又はデータ信号に対して必要な処理を適用し、第１送信部１１６に伝送する。第１送信部１１６は、変調器、周波数変換器及び送信電力増幅器を有するブロックであり、入力された信号を通信方式に従って変調した後、第１周波数シンセサイザ１１４から発生された送信局部発信信号と混合して無線周波数信号に周波数変換する。そして、第１送信部１１６は、変換した信号を増幅した後、第１アンテナ共用器１１２に伝送し、伝送された信号は、第１アンテナ共用器１１２により第１アンテナ１１１を介して基地局に送信される。
【００１９】
電力供給管理部１３０は、第１通信部１１０及び第２通信部１２０への電力の供給を管理する。電力供給管理部１３０は、携帯電話１００が複数キャリアモードである場合は、第１通信部１１０及び第２通信部１２０の両方に電力供給を行う。また、電力供給管理部１３０は、携帯電話１００が単一キャリアモードである場合は、第１通信部１１０又は第２通信部１２０のいずれか１つの通信部にのみ電力供給を行う。
【００２０】
コーデック１３１は、通信方式に従って、第１通信部１１０及び第２通信部１２０のそれぞれから入力された音声信号及びデータ信号を復号し、音声信号及びデータを得る。コーデック１３１は、得られた音声信号は例えばスピーカ１３３に出力し、電子メール等のデータはＥＥＰＲＯＭに出力し記憶する。また、コーデック１３１は、通信方式に従って、マイク１３２より入力された音声信号、及びＥＥＰＲＯＭ１０２より入力されたデータを符号化し、得られる符号化された音声信号及びデータ信号を第１通信部１１０又は第２通信部１２０に出力する。
【００２１】
表示部１３５は、例えば小型ＬＣＤ等の表示装置であり、表示制御部１３４から出力された画像やＧＵＩデータ等を表示する。表示制御部１３４は、表示部１３５に表示する内容を制御するブロックであり、例えば入力されたテキストデータを表示部１３５に表示する形式のデータに変換し、任意のＧＵＩデータと合成等を行って出力する。ＧＰＳ１３６は、携帯電話１００が備える位置検出機能であり、ＧＰＳ（Ｇｌｏｂａｌ  Ｐｏｓｉｔｉｏｎｉｎｇ  Ｓｙｓｔｅｍ）衛星からのＧＰＳ信号を受信して、自身の位置の情報を取得するブロックである。時刻管理部１３７は、現在時刻を管理するためのブロックであり、不図示の内蔵バッテリーにより、携帯電話１００の電源がＯＦＦの状態においても駆動し、時刻情報を保持する。
【００２２】
（起動時ＳＩＭカード認証処理）
このような構成をもつ本実施形態の携帯電話１００の、起動時ＳＩＭカード認証処理について、図４のフローチャートをさらに用いて説明する。本起動時ＳＩＭカード認証処理は、携帯電話１００の電源投入時における、ＳＩＭカードの検出と、第１通信部１１０及び第２通信部１２０の動作制御を表す処理である。なお、本実施形態の携帯電話１００は、電源が投入された通電状態においては、両ＳＩＭスロットからＳＩＭカードを取り出すことが不可能であり、ユーザはＳＩＭカードを挿入及び取出する場合は、携帯電話１００の電源をＯＦＦにする必要があるものとする。
【００２３】
Ｓ４０１で、ＣＰＵ１０１は、外部メモリＩ／Ｆ１０７に、第１ＳＩＭスロット１０８にＳＩＭカードが挿入されているか否かを判断させる。、第１ＳＩＭスロット１０８にＳＩＭカードが挿入されていると判断された場合は処理をＳ４０２に移し、ＳＩＭカードが挿入されていないと判断された場合は処理をＳ４０５に移す。
【００２４】
Ｓ４０２で、ＣＰＵ１０１は、外部メモリＩ／Ｆ１０７に、第１ＳＩＭスロット１０８に挿入されているＳＩＭカード（第１ＳＩＭカード２００）からカードに記憶されている情報を読み出させる。そして、ＣＰＵ１０１は外部メモリＩ／Ｆ１０７が読み出した第１ＳＩＭカード２００の情報を、例えばＥＥＰＲＯＭ１０２記憶し、処理をＳ４０３に移す。
【００２５】
Ｓ４０３で、ＣＰＵ１０１は表示制御部１３４に、例えば図６（ａ）のような、ＲＯＭ１０４に記憶されている認証処理用のＧＵＩデータを伝送し、表示部１３５に表示させ、第１ＳＩＭカード２００のＰＩＮ認証処理を開始する。具体的には、ＣＰＵ１０１は、キー操作部１０６をユーザが操作することにより、入出力制御部１０５から受信した操作されたキーの情報（ＰＩＮコード情報）を参照する。そしてＣＰＵ１０１は、入力されたＰＩＮコード情報と、ＥＥＰＲＯＭ１０２に記憶した第１ＳＩＭカード２００の情報に含まれるＰＩＮコード情報とが一致するかを判断する。入力されたＰＩＮコード情報と、第１ＳＩＭカード２００のＰＩＮコード情報とが一致した場合、ＣＰＵ１０１は、第１ＳＩＭスロット１０８のＳＩＭカードが、ＰＩＮ認証に成功しているという情報を、例えばＥＥＰＲＯＭ１０２に記憶し、処理をＳ４０５に移す。また、入力されたＰＩＮコード情報と、第１ＳＩＭカード２００のＰＩＮコード情報とが一致しなかった場合、ＣＰＵ１０１は処理をＳ４０４に移す。
【００２６】
Ｓ４０４で、表示制御部１３４は、ＣＰＵ１０１の指示により、例えばＲＯＭ１０４に記憶されている認証ロックのＧＵＩデータを表示部１３５に表示させる。認証ロックのＧＵＩデータは、ＰＩＮ認証に失敗したため、ＳＩＭカードを使用できない状態でロックする旨の情報をユーザに提示するものである。なお、Ｓ４０３のＰＩＮコードの入力は、例えば３回まで入力の失敗が許される等、ＰＩＮ認証処理に冗長性を持たせてもよく、その場合はＳ４０３からＳ４０３の処理を繰り返すものとする。
【００２７】
Ｓ４０５で、ＣＰＵ１０１は、外部メモリＩ／Ｆ１０７に、第２ＳＩＭスロット１０９にＳＩＭカードが挿入されているか否かを判断させる。ＣＰＵ１０１は、第２ＳＩＭスロット１０８にＳＩＭカードが挿入されている場合は処理をＳ４０６に移し、ＳＩＭカードが挿入されていない場合は処理をＳ４０９に移す。
【００２８】
Ｓ４０６で、ＣＰＵ１０１は、外部メモリＩ／Ｆ１０７に、第２ＳＩＭスロット１０９に挿入されているＳＩＭカード（第２ＳＩＭカード３００）からカードに記憶されている情報を読み出させる。そして、ＣＰＵ１０１は、外部メモリＩ／Ｆ１０７が読み出した第２ＳＩＭカード３００の情報を、例えばＥＥＰＲＯＭ１０２記憶し、処理をＳ４０７に移す。
【００２９】
Ｓ４０７で、ＣＰＵ１０１はＳ４０３と同様に第２ＳＩＭカード３００のＰＩＮ認証処理を開始する。そして、入力されたＰＩＮコード情報と、第２ＳＩＭカード３００のＰＩＮコード情報とが一致した場合、ＣＰＵ１０１は、第２ＳＩＭスロット１０９のＳＩＭカードが、ＰＩＮ認証に成功しているという情報をＥＥＰＲＯＭ１０２に記憶し、処理をＳ４０９に移す。また、入力されたＰＩＮコード情報と、第２ＳＩＭカード３００のＰＩＮコード情報とが一致しなかった場合、ＣＰＵ１０１は処理をＳ４０８に移し、Ｓ４０４と同様に、表示制御部１３４に認証ロックのＧＵＩデータを表示部１３５に表示させる。
【００３０】
Ｓ４０９で、ＣＰＵ１０１は、ＥＥＰＲＯＭ１０２に記憶されているＰＩＮ認証の情報を参照し、それぞれのＳＩＭスロットのＰＩＮ認証の成功の可否を判断する（第１の判定）。第１ＳＩＭスロット１０８及び第２ＳＩＭスロット１０９の両方でＰＩＮ認証に成功している場合、ＣＰＵ１０１は処理をＳ４１０に移す。また、第１ＳＩＭスロット１０８又は第２ＳＩＭスロット１０９のいずれか一方でＰＩＮ認証に成功している場合、ＣＰＵ１０１は処理をＳ４１２に移す。また、第１ＳＩＭスロット１０８及び第２ＳＩＭスロット１０９の両方でＰＩＮ認証に失敗している場合、ＣＰＵ１０１は処理をＳ４１３に移す。
【００３１】
Ｓ４１０で、ＣＰＵ１０１は、ＥＥＰＲＯＭ１０２に記憶されている第１ＳＩＭカード２００及び第２ＳＩＭカード３００の情報から、移動体通信網識別番号の情報を参照する。そして、ＣＰＵ１０１は、第１ＳＩＭカード２００と第２ＳＩＭカード３００が、同一のキャリアから提供されるＳＩＭカードであるかを判断する。第１ＳＩＭカード２００と第２ＳＩＭカード３００が、同一のキャリアから提供されるＳＩＭカードである場合、ＣＰＵ１０１は処理をＳ４１２に移す。また、第１ＳＩＭカード２００と第２ＳＩＭカード３００が、異なるキャリアから提供されるＳＩＭカードである場合、ＣＰＵ１０１は処理をＳ４１１に移す。
【００３２】
Ｓ４１１で、ＣＰＵ１０１は、電力供給管理部１３０に、第１通信部１１０及び第２通信部１２０の両方で無線通信を行うため、両方の通信部に電力を供給させ、動作させる。これにより、携帯電話１００は、Ｗ−ＣＤＭＡ方式及びＣＤＭＡ２０００方式の両方での通信が同時に可能である、複数キャリアモードの通信モードとなる。
【００３３】
Ｓ４１２で、ＣＰＵ１０１は、電力供給管理部１３０に、認証されているＳＩＭカードのキャリアの情報に従って、第１通信部１１０又は第２通信部１２０のいずれか一方に電力を供給させて動作させる。例えば、第１ＳＩＭカード２００の認証が成功しており、第１ＳＩＭカード２００がＣＤＭＡ２０００方式のキャリアから提供されるＳＩＭカードである場合は、電力供給管理部１３０は第２通信部１２０にのみ電力を供給する。これにより、携帯電話１００は、Ｗ−ＣＤＭＡ方式又はＣＤＭＡ２０００方式のいずれか一方での通信が可能である、単一キャリアモードの通信モードとなる。
【００３４】
Ｓ４１３で、ＣＰＵ１０１は、第１ＳＩＭスロット１０８及び第２ＳＩＭスロット１０９の両方でＰＩＮ認証に失敗しているため、無線通信が不可能である旨の警告表示を提示するＧＵＩデータを例えばＲＯＭ１０４より読み出し、表示制御部１３４に伝送する。そしてＣＰＵ１０１は、表示制御部１３４に警告表示のＧＵＩを表示部１３５に表示させる。
このように、起動時に、両方のＳＩＭスロットにＳＩＭカードが挿入されているか否かを判断し、さらに挿入されているＳＩＭカードのＰＩＮ認証を行うことにより、起動時のの通信モードを決定することが可能である。
【００３５】
（起動時キャリア選択処理）
上述の起動時ＳＩＭカード認証処理では、起動時のＳＩＭカードの有無、及びＰＩＮ認証結果によって通信モードを決定した。しかしながら、起動時ＳＩＭカード認証処理のＰＩＮ認証処理が完了したＳ４１１及びＳ４１２において、通信モードを決定せずに本起動時キャリア選択処理を行うことにより、決定可能な通信モードの中から、ユーザに通信モードを選択させることが可能である。以下、本実施形態の携帯電話１００の、起動時キャリア選択処理について、図５のフローチャートを用いて説明する。なお、本起動時キャリア選択処理は、上述の起動時ＳＩＭカード認証処理のＳ４１３のように、無線通信が不可能である場合は実行されず、少なくとも１つのＳＩＭカードのＰＩＮ認証が成功している際に実行されるものとする。
【００３６】
Ｓ５０１で、ＣＰＵ１０１は携帯電話１００が異なる２種類のキャリアの通信回路である、第１通信部１１０及び第２通信部１２０が動作可能であるかを判断する。具体的には、ＣＰＵ１０１は、例えばＥＥＰＲＯＭに記憶されているＰＩＮ認証の情報を参照し、それぞれのＳＩＭスロットのＰＩＮ認証の成功の可否、及び両ＳＩＭスロットのＳＩＭカードが異なるキャリアから提供されるＳＩＭカードであるかを判断する。第１通信部１１０及び第２通信部１２０が動作可能、即ち、第１ＳＩＭスロット１０８及び第２ＳＩＭスロット１０９に異なるキャリアのＳＩＭカードが挿入され、それぞれのＳＩＭカードのＰＩＮ認証が完了している場合、ＣＰＵ１０１は処理をＳ５０２に移す。また、第１通信部１１０又は第２通信部１２０のいずれか一方が動作可能、即ち、第１ＳＩＭスロット１０８及び第２ＳＩＭスロット１０９のいずれか一方のＳＩＭカードのＰＩＮ認証が完了している場合、ＣＰＵ１０１は処理をＳ５０４に移す。即ち、携帯電話１００の２つのＳＩＭスロットに、１つのＳＩＭカードのみが挿入されている場合や、挿入されている２つのＳＩＭカードが同一のキャリアから提供されるＳＩＭカードである場合は、ユーザは通信モードを単一キャリアモード以外には設定できない。このため、ＣＰＵ１０１は強制的に単一キャリアモードに変更するステップへ処理を移す。
【００３７】
Ｓ５０２で、ＣＰＵ１０１は、例えばＲＯＭ１０４に記憶されている、図６（ｂ）のような通信モードをユーザに選択させるためのＧＵＩデータを表示制御部１３４に伝送し、表示制御部１３４に受信したＧＵＩデータを表示部１３５に表示させる。
【００３８】
Ｓ５０３で、ＣＰＵ１０１は、ユーザがキー操作部１０６を操作することにより、単一キャリアモードと複数キャリアモードのどちらを選んだかの情報を、入出力制御部１０５から受信し、選択された通信モードが単一キャリアモードであるかを判断する。ＣＰＵ１０１は、選択された通信モードが単一キャリアモードである場合は処理をＳ５０４に移し、選択された通信モードが複数キャリアモードである場合は処理をＳ５０６に移す。
【００３９】
Ｓ５０４で、ＣＰＵ１０１は、電力供給管理部１３０に有効なキャリアの通信部に対し電力供給を行わせ、動作させる。有効なキャリアは、例えば携帯電話１００の２つのＳＩＭスロットに、１つのＳＩＭカードのみが挿入されている場合や、挿入されている２つのＳＩＭカードが同一のキャリアから提供されるＳＩＭカードである場合は、該当するキャリアの通信部を起動すればよい。即ち、１つのキャリアの通信部のみに電力供給を行って有効にし、他のキャリアの通信部の電力供給を遮断する。また、２種類のキャリアのＳＩＭカードの認証に成功している場合は、例えば第１ＳＩＭスロット１０８に挿入されている第１ＳＩＭカード２００を提供するキャリアに対応する通信部を起動すればよい。また、例えばユーザに有効にするキャリアを選択させるＧＵＩを表示部１３５に表示し、選択に応じて起動する通信部を決定しても良い。
【００４０】
Ｓ５０５で、表示制御部１３４は、ＣＰＵ１０１の指示により、表示部１３５に単一キャリアモードの画面表示を行う。このとき、例えば第１通信部１１０が起動している場合は、表示制御部１３４はＣＰＵ１０１の制御の下、図６（ｄ）のように１番目（第１通信部１１０）の無線通信の電波状況を表すような表示を、表示部１３５に表示する。
【００４１】
Ｓ５０６で、ＣＰＵ１０１は、電力供給管理部１３０に、全てのキャリアの通信部、即ち第１通信部１１０及び第２通信部１２０に電力供給を行わせ、動作させる。そして、Ｓ５０７で、表示制御部１３４は、ＣＰＵ１０１の指示により、表示部１３５に図６（ｃ）のような複数キャリアモードの画面表示を行う。
このようにして、ＣＰＵ１０１は、単一キャリアモード及び複数キャリアモードに通信モードを選択可能な場合は、ユーザに通信モードを選択させて通信モードを設定することが可能である。
【００４２】
以上説明したように、本実施形態の無線通信端末は、無線通信端末の起動時に利用可能なキャリアの情報を取得して、通信モードを切り替えることが可能である。具体的には、無線通信端末は、複数の異なるキャリアのそれぞれを利用した、複数の無線通信手段を備え、使用条件に応じて通信モードを切り替える。通信モードには、複数の無線通信手段を同時に使用する第１の通信モードと、通信可能な無線通信手段のうち、いずれか１つの無線通信手段のみを使用する第２の通信モードがある。
【００４３】
そして、起動時に利用可能な無線通信手段を判定し、起動時に利用可能な無線通信手段が複数であると判定した場合は第１の通信モードに切り替え、起動時に利用可能な無線通信手段が１つであると判定した場合は第２の通信モードに切り替える。これにより、起動時の無線通信手段が利用可能であるか否かの情報によって、通信モードを自動的に設定することが可能である。
【００４４】
また、起動時に利用可能な無線通信手段が複数ある場合は、２つの通信モードのいずれかをユーザに選択させ、選択された通信モードに切り替える。これにより、起動時に通信モードを選択可能な場合、起動時の設定操作のみでユーザは通信モードを選択でき、煩雑な操作をすることなく通信モードを設定可能である。
【００４５】
（実施形態２）
前述の実施形態１では、無線通信端末の起動時の通信モードの切り替え方法について説明した。本実施形態２では、起動後、無線通信端末の使用条件に合わせて、通信モードを切り替える方法について説明する。なお、本実施形態の無線通信端末の一例としての、２種類のキャリアを利用して同時に無線通信可能な携帯電話の機能構成は、実施形態１と同じであるものとして説明を省略する。
【００４６】
（エリア切り替え処理）
本実施形態の携帯電話１００の、特定のエリアに携帯電話１００が存在する場合に、自動的に通信モードを切り替える、エリア切り替え処理について、図７のフローチャートをさらに用いて説明する。
【００４７】
なお、本エリア切り替え処理で定める特定のエリアは、ユーザが任意に設定可能である。具体的には、携帯電話１００の表示部１３５に、例えば図９（ａ）のようなＧＵＩを表示し、予めユーザに通信モードを切り替えるエリア（郵便番号で規定）と、エリアでの切り替える通信モードを設定させる。これにより、携帯電話１００はエリアによって自動的に通信モードを切り替えることが可能である。このようにして、予め定められたエリアに携帯電話１００が存在する場合に、本エリア切り替え処理によって、単一キャリアモード又は複数キャリアモードのいずれかに自動的に切り替えることが可能である。なお、本エリア切り替え処理において、予め通信モードを切り替えると定められたエリアの情報、及び切り替える通信モードの情報は、ＥＥＰＲＯＭ１０２に記憶されるものとする。
【００４８】
Ｓ７０１で、ＣＰＵ１０１は、ＧＰＳ１３６に現在携帯電話１００が存在する位置の情報を取得させる。取得した現在位置の情報は、例えばＲＡＭ１０３に一時的に記憶される。Ｓ７０２で、ＣＰＵ１０１は、ＲＡＭ１０３に記憶した現在位置の情報が、ＥＥＰＲＯＭ１０２に記憶されている、予め通信モードを切り替えると定められたエリアに含まれるかを判断する。Ｓ７０１で取得した現在位置の情報が、予め通信モードを切り替えると設定されたエリアに含まれる場合、ＣＰＵ１０１は処理をＳ７０３に移し、予め通信モードを切り替えると設定されたエリアに含まれない場合は、ＣＰＵ１０１はエリア切り替え処理を完了する。
【００４９】
Ｓ７０３で、ＣＰＵ１０１は、ＥＥＰＲＯＭ１０２に記憶されている予め通信モードを切り替えると定められたエリアに対応する、切り替える通信モードの情報を参照する。ＣＰＵ１０１、は切り替える通信モードが単一キャリアモードである場合は処理をＳ７０４に移し、複数キャリアモードである場合は処理をＳ７０６に移す。
【００５０】
Ｓ７０４で、ＣＰＵ１０１は、携帯電話１００の現在の通信モード、即ち通信モードを切り替えるエリアに携帯電話１００が入る前に選択されていた通信モードが、複数キャリアモードであるかを判断する。現在の通信モードが複数キャリアモードである場合、ＣＰＵ１０１は処理をＳ７０５に移す。また、現在の通信モードがすでに単一キャリアモードである場合、ＣＰＵ１０１は通信モードを切り替える必要がないと判断し、エリア切り替え処理を完了する。Ｓ７０５で、ＣＰＵ１０１は、現在の通信モードである複数キャリアモードから、単一キャリアモードに通信モードを切り替え、電力供給管理部１３０に、第１通信部１１０又は第２通信部１２０のいずれか一つの通信部の電力供給を遮断させる。
【００５１】
Ｓ７０６で、ＣＰＵ１０１はＳ７０４と同様に、現在の通信モードが複数キャリアモードであるかを判断する。現在の通信モードがすでに複数キャリアモードである場合、ＣＰＵ１０１は通信モードを切り替える必要がないと判断し、エリア切り替え処理を完了する。Ｓ７０７で、ＣＰＵ１０１は、現在の通信モードである単一キャリアモードから、複数キャリアモードに通信モードを切り替え、電力供給管理部１３０に、現在電力供給を行っていない通信部に電力供給を行わせ、動作させる。
【００５２】
なお、本エリア切り替え処理は、例えばＧＰＳ１３６の位置情報取得のタイミングに合わせて実行されればよい。また、本実施形態では、予め設定する、切り替える通信モードの情報として、複数キャリアモード又は単一キャリアモードを設定する方法について説明した。しかしながら、単一キャリアモードを設定する際に、単一キャリアモードで動作させる通信方式（キャリア）を選択できるようにしてもよい。この場合Ｓ７０４のように、現在の通信モードが単一キャリアモードであり、切り替える通信モードが単一キャリアモードである場合に、ＣＰＵ１０１は利用するキャリアの情報を参照して、通信部への電力供給を制御すればよい。
【００５３】
このようにして、携帯電話１００が予め定められたエリアに存在する場合は、設定された通信モードに自動的に切り替えることが可能である。つまり、予め定められたエリアによって通信モードを自動的に変更可能とすることにより、例えば会社内エリアではプライベート用のキャリアは停止し、ビジネス用のキャリアのみを使用できるようにするといった通信モードの動的な切り替えが可能となる。
【００５４】
（時刻切り替え処理）
本実施形態の携帯電話１００の、特定の時間帯で自動的に通信モードを切り替える、時刻切り替え処理について、図８のフローチャートを用いて説明する。なお、本時刻切り替え処理において、前述のエリア切り替え処理と同様の処理を行うステップは、同一の参照符号を付して説明を省略し、本時刻切り替え処理に特徴的なステップの説明に留める。
【００５５】
なお、本時刻切り替え処理で定める特定の時間帯は、ユーザが任意に設定可能であるものとする。具体的には、携帯電話１００の表示部１３５に、ユーザに通信モードを切り替える時刻を設定させるＧＵＩを表示し、予めユーザに通信モードを切り替える時間帯と、時間帯において切り替える通信モードを設定させる。これにより、携帯電話１００は時間帯によって自動的に通信モードを切り替えることが可能である。
【００５６】
例えば、ユーザが通信モードを切り替える時間帯を設定する場合、ユーザは携帯電話１００の設定メニューからモード切替時刻設定メニューを呼び出す。このとき、モード切替時刻設定メニューは、図９（ｂ）のように、現在設定されている通信モードを切り替える時間帯のタイムスケールが表示される。そしてユーザがモード切替時刻設定を選択すると、図９（ｃ）のような、通信モードを切り替える時間帯の開始時間、終了時間、及び切り替える通信モードを設定可能なＧＵＩが表示され、ユーザは各項目の入力を行い、設定を完了する。設定が完了すると、表示部１３５の画面表示はモード切替時刻設定メニューの画面（図９（ｄ））に戻り、このとき新たに設定した通信モードを切り替える時間帯の情報が含まれたタイムスケールが表示される。
【００５７】
このようにして、予め定められた時間帯になった際に、本時刻切り替え処理によって、単一キャリアモード又は複数キャリアモードのいずれかに自動的に切り替えることが可能である。なお、本時刻切り替え処理において、上述のように設定した、通信モードを切り替えると定められた時間帯の情報、及び切り替える通信モードの情報は、ＥＥＰＲＯＭ１０２に記憶されるものとする。
【００５８】
Ｓ８０１で、ＣＰＵ１０１は、時刻管理部１３７から現在時刻の情報を取得する（時刻取得）。取得した現在時刻の情報は、例えばＲＡＭ１０３に一時的に記憶される。Ｓ８０２で、ＣＰＵ１０１は、ＲＡＭ１０３に記憶した現在位置の情報が、ＥＥＰＲＯＭ１０２に記憶されている、予め通信モードを切り替えると定められた時間帯に含まれるかを判断する。Ｓ８０１で取得した現在時刻の情報が、予め通信モードを切り替えると設定された時間帯に含まれる場合、ＣＰＵ１０１は処理をＳ７０３に移し、予め通信モードを切り替えると設定された時間帯に含まれない場合は、ＣＰＵ１０１は時刻切り替え処理を完了する。
【００５９】
Ｓ７０３で、ＣＰＵ１０１は、ＥＥＰＲＯＭ１０２に記憶されている予め通信モードを切り替えると定められた時間帯に対応する、切り替える通信モードの情報を参照する。そしてＣＰＵ１０１は、切り替える通信モードが単一キャリアモードである場合は処理をＳ７０４に移し、複数キャリアモードである場合は処理をＳ７０６に移す。
なお、本時刻切り替え処理は、例えば時刻管理部１３７がＥＥＰＲＯＭ１０２に記憶されている通信モードを切り替えると設定された時間帯になった場合に、ＣＰＵ１０１に通知を行い、ＣＰＵ１０１によって実行されればよい。
【００６０】
このようにして、携帯電話１００は予め定められた時間帯になった際に、設定された通信モードに自動的に切り替えることが可能である。つまり、予め定められた時間帯によって通信モードを自動的に変更可能とすることにより、例えばライフスタイルに合わせて夜間だけ単一キャリアモード、昼間は複数キャリアモードで使用するといった通信モードの動的な切り替えが可能となる。
【００６１】
以上説明したように、本実施形態の無線通信端末は、無線通信端末に予め定められた条件に応じて、通信モードを切り替えることが可能である。具体的には、無線通信端末は、複数の異なるキャリアのそれぞれを利用した、複数の無線通信手段を備え、使用条件に応じて通信モードを切り替える。通信モードには、複数の無線通信手段を同時に使用する第１の通信モードと、通信可能な無線通信手段のうち、いずれか１つの無線通信手段のみを使用する第２の通信モードがある。
【００６２】
そして、自身の位置を位置検出することにより、予め定められた位置に現在位置が含まれる場合に、予め定められた位置に対応付けられた通信モードに切り替える。これにより、無線通信端末の位置に応じて、設定された通信モードに動的に切り替えることが可能であるため、ユーザに煩雑な操作をさせずに通信モードを切り替え可能である。
【００６３】
また、現在時刻の情報を取得することにより、予め定められた時刻の範囲に現在時刻が含まれる場合に、予め定められた時刻の範囲に対応付けられた通信モードに切り替える。これにより、時刻に応じて設定された通信モードに動的に切り替えることが可能であり、ユーザに煩雑な操作をさせることなく、通信モードを設定可能である。
【００６４】
（実施形態３）
前述の実施形態１及び２では、無線通信端末の起動時及び予め設定された使用条件において、通信モードを切り替える方法について説明した。本実施形態では、通信モードが複数キャリアモードに設定されている場合に、利用可能なキャリアの一方において、通話着信やメール着信等のデータの送受信を行う際に通信モードを切り替える方法について説明する。なお、本実施形態の無線通信端末の一例としての、２種類のキャリアを利用して同時に無線通信可能な携帯電話の機能構成は、実施形態１と同じであるものとして説明を省略する。
【００６５】
（着信時切り替え処理）
本実施形態の携帯電話１００の、第１通信部１１０又は第２通信部１２０のいずれか一方を用いてデータの送受信を行う場合に、自動的に通信モードを切り替える、着信時切り替え処理について、図１０のフローチャートを用いて説明する。なお、本着信時切り替え処理は、携帯電話１００の通信モードが複数キャリアモードである場合に行われる処理である。また、本実施形態では、第１通信部１１０に通話着信があるものとして、本着信時切り替え処理の各ステップの説明を行うが、着信は第１通信部１１０又は第２通信部１２０のいずれであっても構わない。
【００６６】
Ｓ１００１で、ＣＰＵ１０１は、第１通信部１１０又は第２通信部１２０のいずれかにデータの着信があるかを判断する。なお、ＣＰＵ１０１は、着信があるまでＳ１００１の処理を繰り返し、第１通信部１１０又は第２通信部１２０のいずれかに着信があった際は処理をＳ１００２に移す。
【００６７】
Ｓ１００２で、ＣＰＵ１０１は、例えば第１通信部１１０に通話着信があった場合、表示制御部１３４に表示部１３５に、図１１（ａ）のような着信画面を表示させる。そしてＣＰＵ１０１は、Ｓ１００３でユーザがキー操作部１０６の通話ボタンを操作することにより、通話を開始する入力がなされたかを入出力制御部１０５に判断させる。通話を開始する入力がなされていない場合、ＣＰＵ１０１は処理をＳ１００４に移し、着信が終了したかを判断する。ＣＰＵ１０１は第１通信部１１０が着信中の間、Ｓ１００３及びＳ１００４の処理を繰り返し、Ｓ１００３で通話を開始する入力がなされた場合、処理をＳ１００５に移す。また、Ｓ１００４で着信が終了した場合、ＣＰＵ１０１は通信モードを複数キャリアモードから切り替えずに、着信時切り替え処理を完了すればよい。
【００６８】
Ｓ１００５で、ＣＰＵ１０１は通信モードを複数キャリアモードから単一キャリアモードに切り替える。具体的には、ＣＰＵ１０１は、電力供給管理部１３０に、現在着信していない第２通信部１２０への電力供給を遮断させ、通信モードを単一キャリアモードとする。
【００６９】
Ｓ１００６で、ＣＰＵ１０１はユーザがキー操作部１０６の通話ボタンを操作することにより、通話を終了する入力がなされたかを入出力制御部１０５に判断させる。ＣＰＵ１０１は、通話を終了する入力がなされるまでＳ１００６の処理を繰り返し、通話を終了する入力がなされた場合に処理をＳ１００７に移す。そしてＣＰＵ１０１は、Ｓ１００７で通信モードを単一キャリアモードから、着信前の複数キャリアモードに切り替える。具体的には、ＣＰＵ１０１は、電力供給管理部１３０に、現在着信していない第２通信部１２０への電力供給を再度行わせ、通信モードを複数キャリアモードとする。
【００７０】
このようにして、複数キャリアモードの際に、一方の通信部での通話着信等のデータの送受信が開始された際に、他方の通信部の電力供給を遮断して単一キャリアモードとすることにより、他方の通信部の通信待機に消費する電力を低減することが可能となる。なお、通話が終了した際に複数キャリアモードに切り替えた場合、通話中に通信を停止させていた通信部のキャリアに通話着信やメールを受信していることがある。このため、ＣＰＵ１０１は、複数キャリアモードに切り替えた際に、例えば第２通信部１２０に留守番電話の有無を問い合わせるよう動作（留守問合）させたり、メールの有無を問い合わせるよう動作（メール問合）させればよい。また、このときＣＰＵ１０１は、通話中であった第１通信部１１０も、通話中の留守番電話やメールの有無を問い合わせるように動作させてもよい。
【００７１】
（単一キャリアモード移行処理）
実施形態１及び２、上述した着信時切り替え処理は、通信モードを動的に切り替える際の処理について説明した。以下、複数キャリアモードから単一キャリアモードに切り替える際に通信可能とするキャリアを決定する単一キャリアモード移行処理について、図１２のフローチャートを用いて説明する。
【００７２】
Ｓ１２０１で、ＣＰＵ１０１は、上述のような通信モードの切り替え処理において、複数キャリアモードから単一キャリアモードに切り替えるかどうかを判断する。ＣＰＵ１０１は、複数キャリアモードから単一キャリアモードへの切り替えるまでＳ１２０１の処理を繰り返し、単一キャリアモードへ切り替える場合は処理をＳ１２０２に移す。
【００７３】
Ｓ１２０２で、ＣＰＵ１０１は、複数キャリアモードで通信可能な第１通信部１１０（第１のキャリア）及び第２通信部１２０（第２のキャリア）それぞれの通信状況を把握する。そしてＳ１２０３で、ＣＰＵ１０１は通信状況が最も良好なキャリアが第１通信部１１０であるかを判断する。具体的には、第１通信部１１０と第２通信部１２０の通信状況である電波強度を比較し、第１通信部１１０の受信している電波強度が、第２通信部１２０の受信している電波強度以上であるかを判断する。ＣＰＵ１０１は、第１通信部１１０の電波強度が第２通信部１２０以上である場合は処理をＳ１２０４に移し、第１通信部１１０の電波強度が第２通信部１２０未満である場合は処理をＳ１２０５に移す。
【００７４】
Ｓ１２０４で、ＣＰＵ１０１は第１通信部１１０、即ち第１のキャリアを単一キャリアモードで通信可能とするキャリアとして設定する。同様にＳ１２０５で、ＣＰＵ１０１は第２通信部１２０、即ち第２のキャリアを単一キャリアモードで通信可能とするキャリアとして設定する。そしてＣＰＵ１０１は、Ｓ１２０６で通信モードを単一キャリアモードへ切り替え、通信可能としないキャリアの通信部への電力供給を、電力供給管理部１３０に遮断させる。これにより、単一キャリアモード移行時に、通信状況が最も良好なキャリアに切り替えることができる。
【００７５】
なお、単一キャリアモード移行時の通信可能とするキャリアについては、ユーザが任意に設定してもよい。例えば、ＣＰＵ１０１は表示制御部１３４に、図１１（ｂ）のようなＧＵＩを表示部１３５に表示させ、ユーザに、単一キャリアモードにおいて通信可能とするキャリアを設定させる。これにより、単一キャリアモード移行時に、常に決まったキャリアを利用して通信可能とすることが可能である。
【００７６】
なお、本実施形態では、携帯電話１００は、２つのキャリアを利用して通信を行うことが可能であるとして説明したが、３以上の複数のキャリアを同時に利用して通信可能な無線通信端末である場合、単一キャリアモード移行処理は次のようになる。複数キャリアモードから単一キャリアモードへの移行時に、通信可能とするキャリアは、複数キャリアモードで利用可能であったキャリアの中から選択されるものとする。即ち、複数キャリアモードでは、３以上の複数のキャリアのうち、２以上の利用可能なキャリアを用いて通信を行うことが可能である。そして、単一キャリアモードへの移行の際は、複数キャリアモードで利用可能な２以上のキャリアを判定（第２の判定）し、そのうちのいずれか１つのキャリアを通信可能とするキャリアとして選択すればよい。
【００７７】
以上説明したように、本実施形態の無線通信端末は、無線通信端末においてデータの送受信が行われる際に、通信モードを切り替えることが可能である。具体的には、無線通信端末は、複数の異なるキャリアのそれぞれを利用した、複数の無線通信手段を備え、使用条件に応じて通信モードを切り替える。通信モードには、複数の無線通信手段を同時に使用する第１の通信モードと、通信可能な無線通信手段のうち、いずれか１つの無線通信手段のみを使用する第２の通信モードがある。そして、第１の通信モードである場合に、１つの無線通信手段を使用してデータの送受信を開始する際に、データの送受信を行う無線通信手段のみを使用して通信を行う第２の通信モードに切り替える。これにより、１つの無線通信手段を使用してデータを送受信している際にはデータの送受信が不可能である、その他の無線通信手段の使用にかかる消費電力を低減することが可能である。
【００７８】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011124953.tif 000003
【図２】
2011124953.tif 000004
【図３】
2011124953.tif 000005
【図４】
2011124953.tif 000006
【図５】
2011124953.tif 000007
【図６】
2011124953.tif 000008
【図７】
2011124953.tif 000009
【図８】
2011124953.tif 000010
【図９】
2011124953.tif 000011
【図１０】
2011124953.tif 000012
【図１１】
2011124953.tif 000013
【図１２】
2011124953.tif 000014